(57)【要約】  本発明は、映像シーケンスの圧縮のための映像符合化方法に関し、連続的な低解像度ＧＯＦを有する低解像度シーケンスを、ウェーブレット分解により、前記オリジナル映像シーケンスから生成する段階と、各々の低解像度ＧＯＦの動き補償時空間分析により、低解像度分解を前記低解像度シーケンスにおいて実行する段階と、ウェーブレット分解から前記低解像度分解に結果的に生じる前記高周波数空間サブバンドのアンカリングにより、最大解像度シーケンスを前記低解像度分解から生成する段階と、前記動き補償時空間分析の間に生成された前記動きベクトルと前記最大解像度シーケンスとを符合化する段階と、を有する。本発明は又、対応する復号化方法と、対応する符合化装置及び復号化装置と、に関する。
2005516494.tif 000002
【特許請求の範囲】
【請求項１】
連続的なフレームのグループ（ＧＯＦ）に分割されるオリジナル映像シーケンスの圧縮のための映像符合化方法であって：
（１）連続的な低解像度ＧＯＦを有する低解像度シーケンスを、ウェーブレット分解により前記オリジナル映像シーケンスから生成する段階；
（２）各々の低解像度ＧＯＦの動き補償時空間分析により、低解像度分解を前記低解像度シーケンスにおいて実行する段階；
（３）ウェーブレット分解から前記低解像度分解に結果的に生じる高周波数空間サブバンドのアンカリングにより、最大解像度シーケンスを前記低解像度分解から生成する段階；及び
（４）出力符合化ビットストリームを生成するために、前記動き補償時空間分析の間に生成された動きベクトルと前記最大解像度シーケンスとを符合化する段階；
を有することを特徴とする方法。
【請求項２】
請求項１に記載の方法であって、前記高周波数空間サブバンドは、各々のフレームのために、前記時空間分解において動き推定方向に依存して最も前記フレームのようにみえる低解像度サブバンドに直接アンカリングされる、ことを特徴とする方法。
【請求項３】
請求項１に記載の方法であって、推定モードは前記高周波数空間サブバンドを構築するために用いられ、前記高周波数空間サブバンドは前記オリジナル映像シーケンスに適用される動き補償から得られる予測誤差に関して実行される第２ウェーブレット分解から結果的に生じる、ことを特徴とする方法。
【請求項４】
請求項１乃至３のいずれ一項に記載の映像符合化方法を実施するための符合化装置。
【請求項５】
請求項１乃至３のいずれ一項に記載の符合化方法により符合化される入力ビットストリームを復号化するための方法であって：
（１）復号化最大解像度シーケンス及び関連する復号化動きベクトルを生成するために前記入力符合化ビットストリームを復号化する段階；
（２）前記復号化最大解像度シーケンスにおいて、前記復号化高周波数空間サブバンドと前記復号化低解像度分解とを分離する段階；
（３）復号化低解像度シーケンスを動き補償時空間合成により前記復号化低解像度分解から生成する段階；並びに
（４）前記オリジナル映像シーケンスに対応する出力最大解像度シーケンスを、前記復号化低解像度シーケンス及び前記復号化高周波数空間サブバンドから再構築する段階；
を有することを特徴とする方法。
【請求項６】
請求項５に記載の前記映像復号化方法を実行するための復号化装置。
【発明の詳細な説明】
【技術分野】
【０００１】
本発明は、連続的なフレームのグループ（ＧＯＦ）に分割されたオリジナル映像シーケンスの圧縮のための符合化方法と対応する復号化方法とに関する。本発明は又、対応する符合化装置と復号化装置とに関する。
【背景技術】
【０００２】
インターネットの発展及びマルチメディア技術における発達は、新しいアプリケーション及びサービスを可能にしてきた。それらの多くは、変化するネットワークの条件と端末の能力とを適合させるために、符合化効率ばかりでなく高い機能性及びフレキシビリティを必要とする。スケーラビリティはこれらの要求に答える。今日の映像圧縮規格は、しばしば、各々のフレームが基準フレームから時間的に予測され（予測オプション：イントラフレーム又はＩフレームについての０値予測、Ｐフレームについての前方向予測、Ｂフレームについての双方向予測）、得られた予測誤差が空間的冗長性の優位性を得るために空間的に送信される予測スキームに基づいて、所謂、ハイブリッドソリューション（ｈｙｂｒｉｄ  ｓｏｌｕｔｉｏｎ）を使用する。ＭＰＥＧ−２乃至ＭＰＥＧ−４から、規格ベースのスケーラブルソリューションが提供されてきた。それらは、オリジナル映像シーケンスの最も低い空間的、時間的及び／又はＳＮＲ解像度バージョンを有するベースレイヤ、並びに、空間的、時間的及び／又はＳＮＲ改善再構成を可能にする（送信され、復号化される場合）１つ又は幾つかのエンハンスメントレイヤ、の生成に依存する。スケーラビリティに基づくこれらのレイヤの欠点は、しかしながら、それらの符合化効率の欠如からもたらされる。
【０００３】
異なる方法は、埋め込みビットストリームを生成することができる３次元（３Ｄ）サブバンド符合化のような技術を提供してきた。それらの多重解像度分析構造のお陰で、スケーラビリティはそれらのスキームに対して固有であり、それらの固有な符合化効率を弱めない。例えば、非特許文献、“Ａ  ｆｕｌｌｙ  ｓｃａｌａｂｌｅ  ３Ｄ  ｓｕｂｂａｎｄ  ｖｉｄｅｏ  ｃｏｄｅｃ”，Ｐｒｏｃｅｅｄｉｎｇｓ  ｏｆ  ｔｈｅ  Ｉｎｔｅｎｎａｔｉｏｎａｌ  Ｃｏｎｆｅｒｅｎｃｅ  ｏｎ  Ｉｍａｇｅ  Ｐｒｏｃｅｓｓｉｎｇ（ＩＣＩＰ２００１），Ｖｏｌ．２，２００１，ｐｐ．１０１７−１０２０に記載された３Ｄサブバンドコーデック復号化器において、埋め込みビットストリームは十分スケーラブルであり、既知の位置における切り捨てにより簡単に、いずれの空間的及び時間的解像度において、及びいずれの望ましいＳＮＲ品質を用いて、復号化されることができる。そのようなスキームにおいて、低周波数においてエネルギーをコンパクトにするように、連続的なフレームのグループ（ＧＯＦ）は３Ｄ構造として処理され、時空間的にフィルタリングされ、動き補償が又、全体としての符合化効率を改善するために提供される。３Ｄサブバンド構造について、図１に示す。図に示した、動き補償を伴う３Ｄウェーブレット分解はフレームのグループ（ＧＯＦ）に適用され、大きい動きを伴うシーケンスを処理するために、この現時点のＧＯＦは、先ず、動き補償（ＭＣ）され、次いで、Ｈａａｒウェーブレットを用いて、時間的にフィルタリング（ＴＦ）される（破線の矢印は時間的ハイパスフィルタリングに対応する一方、他の矢印は時間的ローパスフィルタリングに対応する）。動き補償操作と時間的フィルタリング操作の後、各々の時間的サブバンドは、時空間サブバンドに空間的に分解され、最終的に、オリジナルのＧＯＦの３Ｄウェーブレット表現になり、３つの分解の段階について、図１の例に示している（Ｌ及びＨ＝第１段階、ＬＬ及びＨＨ＝第２段階、ＬＬＬ及びＨＨＨ＝第３段階）。２Ｄから３Ｄに拡張する、周知のＳＰＩＨＴアルゴリズムは、時空間分解構造に関連して最後の係数ビットプレーンを効率的に符合化するために選択される。
【０００４】
ここで実施するように、３Ｄサブバンドコーデック復号化器は、復号化器側で十分なオリジナルの解像度において動き補償（ＭＣ）時空間分析を適用する。空間的スケーラビリティは、最も高い分解の空間的サブバンドを取り除くことにより得られる。しかしながら、動き補償が３Ｄ分析スキームにおいて使用されるとき、この方法においては、非常に高いビットレートにあっても尚、低解像度における映像シーケンスの完全な再構築が可能ではない。以下の接ミニおいてドリフトと呼ぶこの現象は、目標の最後の表示サイズにおける直接符合化に比較して、スケーラブルソリューションの視認性品質を低下させる。非特許文献“Ｍｕｌｔｉｓｃａｌｅ  ｖｉｄｅｏ  ｃｏｍｐｒｅｓｓｉｏｎ  ｕｓｉｎｇ  ｗａｖｅｌｅｔ  ｔｒａｎｓｆｏｒｍ  ａｎｄ  ｍｏｔｉｏｎ  ｃｏｍｐｅｎｓａｔｉｏｎ”，Ｐ．Ｙ．Ｃｈｅｎｇ  ａｎｄ  ｅｔ．ａｌ．，Ｐｒｏｃｅｅｄｉｎｇｓ  ｏｆ  ｔｈｅ  ＩＮｔｅｒｎａｔｉｏｎａｌ  Ｃｏｎｆｅｒｅｎｃｅ  ｏｎ  Ｉｍａｇｅ  Ｐｒｏｃｅｓｓｉｎｇ（ＩＣＩＰ９５），Ｖｏｌ．１，１９９６，ｐｐ６０６−６０９に記載されているように、このようなドリフトは、取り替え可能でない動き補償とウェーブレット変換の順序によりもたらされる。実際には、フレーム（Ａ）が低解像度（ａ）において合成されるとき、次の演算が適用され、
ａ＝ＤＷＴＬ（Ｌ）＋ＭＣ［ＤＷＴＬ（Ｈ）］
＝ＤＷＴＬ（Ａ）＋［ＭＣ［ＤＷＴＬ（Ｈ）］−ＤＷＴＬ（ＭＣ［Ｈ］）］（１）
ここで、ＤＷＴＬは、３Ｄ分析において同じウェーブレットフィルタを使用する解像度ダウンサンプルを意味する。完全なスケーラブルソリューションにおいては、次の演算を有することが望まれる。
【０００５】
ａ＝ＤＷＴＬ（Ａ）                                        （２）
式（１）の残りの部分は、それ故、ドリフトに相当する。ＭＣが適用されない場合、ドリフトは取り除かれることが理解できる。一意の動きベクトルがフレームに適用される場合、同じ現象が起こる（画像の境界を除いて）。しかし、良好な符合化効率を得るためにはＭＣは回避することができず、一意のグローバルな動きの可能性は、次のパラグラフにおいてこの特定な場合を削除するには十分小さい。
【０００６】
Ｊ．Ｗ．Ｗｏｏｄｓ等のような一部の著者は、非特許文献“Ａ  ｒｅｓｏｌｕｔｉｏｎ  ａｎｄ  ｆｒａｍｅ−ｒａｔｅ  ｓｃａｌａｂｌｅ  ｓｕｂｂａｎｄ／ｗａｖｅｌｅｔ  ｖｉｄｅｏ  ｃｏｄｅｒ”，ＩＥＥＥ  ｔｒａｎｓａｃｔｉｏｎｓ  ｏｎ  Ｃｉｒｃｕｉｔｓ  ａｎｄ  Ｓｙｓｔｅｍｓ  ｆｏｒ  Ｖｉｄｅｏ  Ｔｅｃｈｎｏｌｏｇｙ，Ｖｏｌ．１，Ｎｏ．９，Ｓｅｐｔｅｍｂｅｒ  ２００１，ｐｐ．１０３５−１０４４において、異なる手段により良好な空間的スケーラビリティを達成するためにドリフトを取り除いている。しかしながら、前記文献においては、記載されているスキームは、非常に複雑であることに加えて、ビットストリームに付加的な情報（上位解像度を正確に合成するために必要なドリフト補正）を送ることを含み、それ故、一部のビットを浪費する（文献“Ｍｕｌｔｉｓｃａｌｅ  ｖｉｄｅｏ  ｃｏｍｐｒｅｓｓｉｏｎ  ｕｓｉｎｇ  ｗａｖｅｌｅｔ  ｔｒａｎｓｆｏｒｍ  ａｎｄ  ｍｏｔｉｏｎ  ｃｏｍｐｅｎｓａｔｉｏｎ”，Ｐ．Ｙ．Ｃｈｅｎｇ  ａｎｄ  ｅｔ．ａｌ．，Ｐｒｏｃｅｅｄｉｎｇｓ  ｏｆ  ｔｈｅ  ＩＮｔｅｒｎａｔｉｏｎａｌ  Ｃｏｎｆｅｒｅｎｃｅ  ｏｎ  Ｉｍａｇｅ  Ｐｒｏｃｅｓｓｉｎｇ（ＩＣＩＰ９５），Ｖｏｌ．１，１９９６，ｐｐ６０６−６０９に記載されている解決方法は、このボトルネックを回避するが、予測スキームにおいて機能し、３Ｄサブバンドコーデック復号化器に置き換え可能ではない）。
に代わる発光能力及び光センシング能力を結合した装置が要請されている。
【発明の開示】
【発明が解決しようとする課題】
【０００７】
本発明の目的は上記の欠点を回避する解決方法を提供することである。
【課題を解決するための手段】
【０００８】
この目的を達成するために、本発明は、連続的なフレームのグループ（ＧＯＦ）に分割されるオリジナル映像シーケンスの圧縮のための映像符合化方法に関し、前記方法は：
（１）連続的な低解像度のＧＯＦを有する低解像度シーケンスを、ウェーブレット分解によりオリジナル映像シーケンスから生成する段階；
（２）各々の低解像度ＧＯＦの動き補償時空間分析により、低解像度分解を前記低解像度シーケンスにおいて実行する段階；
（３）ウェーブレット分解から前記低解像度分解に結果的に生じる高周波数空間サブバンドのアンカリングにより、最大解像度シーケンスを前記低解像度分解から生成する段階；並びに
（４）出力復号化ビットストリームを生成するために、動き補償時空間分析の間に生成された動きベクトルと前記最大解像度シーケンスとを符合化する段階；
を有する。
【０００９】
提供する解決方法は、３ＤＳ分析における分解ツリーのグローバル構造がドリフト効果分解／再構築機構のみが変化される）を補正するために送信される、という意味で注目すべきものである。動き推定／補償が最大解像度において実行されない場合、提供する解決方法は、複雑さという点で低コストの解決方法である。動き補償が高空間サブバンドに導入される場合、よりよい符合化効率が提供される。
【００１０】
本発明は又、対応する復号化方法であって：
（１）復号化最大解像度シーケンス及び関連する復号化動きベクトルを生成するために前記入力符合化ビットストリームを復号化する段階；
（２）前記復号化最大解像度シーケンスにおいて、復号化高周波数空間サブバンドと復号化低解像度分解とを分離する段階；
（３）復号化低解像度シーケンスを、動き補償時空間合成により、前記復号化低解像度分解から生成する段階；並びに
（４）オリジナル映像シーケンスに対応する出力最大解像度シーケンスを、前記復号化低解像度シーケンスと復号化高周波数空間サブバンドとから再構築する段階；
を有する方法に関する
本発明は又、前記符合化方法及び前記復号化方法それぞれを実施するために提供する、符合化装置及び復号化装置に関する。
【発明を実施するための最良の形態】
【００１１】
提供する解決方法（即ち、動き補償３Ｄサブバンドコーデック復号化器においてドリフトの伴わない空間スケーラビリティ）はについて、２つの主な段階、即ち、（ａ）低解像度における動き補償段階、及び（ｂ）高空間サブバンドを符合化する段階、を参照して、以下、説明する。
【００１２】
先ず、低解像度におけるドリフトを回避するために、動き補償（ＭＣ）が低解像度のレベルにおいて適用される。その結果、図２に示すように、先ず、ウェーブレットフィルタを用いて、ＧＯＦをダウンサイズ（参照符号ｄ）し、次いで、通常の３ＤサブバンドＭＣ分解スキームを最大サイズのＧＯＦの代わりにこのダウンサイズされたＧＯＦに適用する。図２において、時間的サブバンド（Ｌ０，ｄ，Ｈ０，ｄ）と（Ｌ１，ｄ，Ｈ１，ｄ）は周知のリフティングスキーム）に従って決定され（先ず、ＨがＡとＢとから規定され、次いで、ＬがＡとＨとから規定される）、破直線の矢印は時間的ハイパスフィルタリングに対応し、実直線は時間的ローパスフィルタリングに対応し、実曲線（参照符号Ａ０，ｄ，Ａ１，ｄ，Ａ２，ｄ，Ａ３，ｄで示すシーケンスのフレームの低周波数空間サブバンド間、又は、参照符号Ｌ０，ｄ及びＬ１，ｄで示される低周波数時間サブバンド間）は動き補償に対応する（本方法の副次的効果は、ビットストリームに送られる動きベクトルの大きさを減少させ、テクスチャ符合化のために幾つかのビットを蓄える、ことを記しておく）。ツリーベースのエントロピー符号化器（例えば、文献“Ｌｏｗ  ｂｉｔ−ｒａｔｅ  ｓｃａｌａｂｌｅ  ｖｉｄｅｏ  ｃｏｄｉｎｇ  ｗｉｔｈ  ３Ｄ  ｓｅｔ  ｐａｒｔｉｔｉｏｎｉｎｇ  ｉｎ  ｈｉｅｒａｒｃｈｉａｃｌ  ｔｒｅｅｓ（３Ｄ−ＳＰＩＨＴ）”，Ｂ．Ｊ．Ｋｉｍ  ａｎｄ  ａｌ．  ＩＥＥＥ  Ｔｒａｎｓａｃｔｉｏｎｓ  ｏｎ  Ｃｉｒｃｕｉｔｓ  ａｎｄ  Ｓｙｓｔｅｍｓ  ｆｏｒ  Ｖｉｄｅｏ  Ｔｅｃｈｎｏｌｏｇｙ，Ｖｏｌ．１０，Ｎｏ．８，Ｄｅｃｅｍｂｅｒ  ２０００，ｐｐ．１３７４−１３８７に記載されているような３Ｄ−ＳＰＩＨＴ）にサブバンドを送信する前に、最大解像度の再構築を可能にする高空間サブバンドを設定する。最後のツリー構造は、文献“Ａ  ｆｕｌｌｙ  ｓｃａｌａｂｌｅ  ３Ｄｓｕｂｂａｎｄ  ｖｉｄｅｏ  ｃｏｄｅｃ”，ＩＥＥＥ  Ｃｏｎｆｅｒｅｎｃｅ  ｏｎ  Ｉｍａｇｅ  Ｐｒｏｃｅｓｓｉｎｇ（ＩＣＩＰ２００１），Ｖｏｌ．２，ｐｐ．１０１７−１０２０，Ｔｈｅｓｓａｌｏｎｉｋｉ，Ｇｒｅｅｃｅ，Ｏｃｔｏｂｅｒ  ７−１０，２００１に記載されているツリー構造のような、３Ｄサブバンドコーデック復号化器のツリー構造に非常に似ているように考えられ、それ故、（最大解像度シーケンスのフレームのための）参照符号を次に列挙するような図３の新しい符合化スキームにおいて説明するように、ツリーベースのエントロピー符号化器は、いずれの制限を伴うことなく、適用されることができる。
ＦＲＳ：  最大解像度シーケンス
ＷＤ：  ウェーブレット分解
ＬＲＳ：  低解像度シーケンス
ＭＣ−３ＤＳＡ：  動き補償３Ｄサブバンド分析
ＬＲＤ：  低解像度分解
ＨＳ：  高サブバンド
Ｕ−ＨＦＳＳ：  フレームの３つの高周波数空間サブバンドの結合
ＦＲ−３Ｄ−ＳＰＩＨＴ：  最大解像度３Ｄ  ＳＰＩＨＴ
ＯＣＢ：  出力符合化ビットストリーム
図４に示す、対応する復号化スキームはこの符号化器に対して対称的である（図４における付加的な参照符号は、次のようなものである。
ＭＣ−３ＤＳＳ：  動き補償３Ｄサブバンド合成
ＨＳＳ：  高サブバンド分離
ＦＲＲ：  最大解像度再構築）
空間スケーラビリティを可能にするために、高周波数空間サブバンドは、通常のバージョンの３ＤＳコーデック復号化器におけるようにカットされる必要があり、図４の復号化スキームは、低解像度シーケンスをどのように自然に得るかについて示している。
【００１３】
それ故、高空間サブバンドを符合化するために、２つの主な解決方法、即ち、第１のＭＣを伴わない解決方法及び第２のＭＣを伴う解決方法を提供する。
【００１４】
Ａ）ＭＣを伴わない解決方法
第１の解決方法において、高サブバンドは、ウェーブレット分解におけるＧＯＦのオリジナル（最大解像度）フレームの高周波数空間サブバンドに単純に対応する。それらのサブバンドは、復号化器における最大解像度での再構築を可能にする。実際には、フレームは低解像度において復号化されることができる。しかしながら、これらのフレームは、オリジナルフレームのウェーブレット分析における低空間サブバンドに対応する。それ故、単に、低解像度フレームと対応する高サブバンドを共に設定し、最大解像度フレームを得るためにウェーブレット合成を適用する必要がある。しかし、ここで、３Ｄ−ＳＰＩＨＴ符号化器を最適化するために、どこに及びどのようにそれら高サブバンドを設定するのであろうか？３Ｄサブバンド符号化器のためのＭＣスキームにおいて、低時間的サブバンドは、常に、ＧＯＦのオリジナルフレームの１つのようにみえる。実際、
Ｌ＝（１／√２）［Ａ＋ＭＣ（Ｂ）］                          （３）
であり、それ故、ＬはＡであるようにみえる。従って、高空間サブバンドＡは、Ｌに対応する低解像度分解と共に設定される必要がある。この方法（順方向補償の場合の高空間サブバンドの記録）について、図５に示し、ここで、ＤＷＴＨは高周波数ウェーブレットフィルタを表し、係数ｃｊｔは乗算係数である。ｃｊｔを規定する方法については下で説明する。
【００１５】
しかしながら、３Ｄサブバンド構造における動き補償は、順方向又は逆方向のどちらかとすることができる（交互の方向が符合化効率を改善することさえ示された。その表記法が：
．ｊｔ：時間分解レベル（最大フレームレートに対して０、最小フレームレートに対してｊｔ＿ｍａｘ）
．ｔ：低時間サブバンドに対して０、高時間サブバンドに対して１
．ｎｆ：時間レベルｊｔにおけるサブバンド指数
．ｍｅ＿ｄｉｒ＿ｄｅｓｃ＿ｔｒｅｅ：所定の時間レベルｊｔにおいて用いられるＭＥ方向を表すバイト（ＬＳＢは初めのＭＥ／ＭＣの方向を表す、０は“順方向”、１は“逆方向”）
である次のアルゴリズムは、ＧＯＦにおけるフレームＧＯＦ＿ｉｎｄｅｘとそれと最もよく似ている時空間サブバンド｛ｊｔ；ｎ；ｔ｝との間のリンクを形成する。
ＵＩｎｔ８
ＳＴｌｏｃａｔｉｏｎＴｏＧｏｆＩｎｄｅｘ（ＭＥＤｉｒｅｃｔｉｏｎＤｅｓｃｒｉｐｔｉｏｎＴｒｅｅ  ｍｅ＿ｄｉｒ＿ｄｅｓｃ＿ｔｒｅｅ，ＵＩｎｔ８
ｊｔ＿ｍａｘ，ＵＩｎｔ８  ｊｔ，ＵＩｎｔ８  ｎｆ，ＵＩｎｔ８  ｔ）
｛
ＵＩｎｔ８  ｇｏｆ＿ｉｎｄｅｘ＝０；
ＵＩｎｔ  ｄｉｒｅｃｔｉｏｎ；
ＵＩｎｔ８  ｊ，ｎ＿ｓｂ；
ＵＩｎｔ８  ｓｉｇｎ；
ｇｏｆ＿ｉｎｄｅｘ＝ｎｆ＜＜ｊｔ；
ｓｉｇｎ＝１；
ｎ＿ｓｂ＝ｎｆ；
ｆｏｒ（ｊ＝ｊｔ−１；ｊ＞＝０；Ｊ――）
｛
ｄｉｒｅｃｔｉｏｎ＝１＜＜ｎ＿ｓｂ；
ｉｆ（ｔ＝＝０）
ｓｉｇｎ＝０；
ｄｉｒｅｃｔｉｏｎ ＆＝ｍｅ＿ｄｉｒ？ｄｅｓｃ＿ｔｒｅｅ．ａｕｉ８＿ｌｅｖｅｌ［ｊ］；
ｄｉｒｅｃｔｉｏｎ＞＞ｎ＿ｓｂ；
ｉｆ（ｓｉｇｎ）
｛
ｄｉｒｅｃｔｉｏｎ＝！ｄｉｒｅｃｔｉｏｎ；
ｓｉｇｎ＝０；
｝
ｎ＿ｓｂ＝（ｎ＿ｓｂ＜＜１）＋ｄｉｒｅｃｔｉｏｎ；
｝
ｒｅｔｕｒｎ）ｇｏｆ＿ｉｎｄｅｘ）；
｝
係数ｃｊｔを規定する方法について、ここで説明する（Ｈａａｒフィルタの場合）。αは時間２タップＨａａｒフィルタにおいて用いられる係数であるとする。従来の３Ｄサブバンドスキームにおいて：
【００１６】
【数１】
2005516494.tif 000003
を有する。
【００１７】
本スキームにおいて、高空間サブバンドに対してｃｊｔ＝αｊｔを用いる場合、時間スケーラビリティを用いることは尚も意味がある。実際には、
【００１８】
【数２】
2005516494.tif 000004
及び
【００１９】
【数３】
2005516494.tif 000005
であり、ここで、ＵｐＳａｍｐｌｅはウェーブレットフィルタを用いるピクチャをいう。低フレームレートにおける再構築に対しては、低次間サブバンドのみであって：
【００２０】
【数４】
2005516494.tif 000006
が合成される。最後に、各々の時間レベルにおける再構築フレームは、“基準”オリジナルフレームと他のフレームのぼけたバージョンとの動き補償平均のようにみえる傾向にあり、３Ｄサブバンドコーデック復号化器の現在のバージョンにおいては、このぼけは導入されない。しかしながら、時間スケーラビリティにおいてボケを加えることを犠牲にして空間スケーラビリティを改善することは価値ある段階である。
【００２１】
Ｂ）ＭＣを伴う解決方法
全てのサブバンドにおいてＭＣを用いることはドリフトを伴わない再構築を可能にするため、図６に示すように、高空間サブバンド  を構築するためにＭＣを部分的に用いる（符合化効率の点で良好である）ことは可能であり、又、全ての解像度を再構築することができる（図６における付加的な参照符号は：
ＭＥ／ＭＣ：動き推定／動き補償
ＰＲＥ：予測誤差
である。）
ウェーブレット分解の高周波数空間サブバンドを直接用いることの代わりに、ウェーブレット分解は、例えば、低解像度の動きベクトルを用いて、最大解像度シーケンスにおいて実行されるＭＣから得られる予測誤差に関して実行される。
【００２２】
この解決方法は：
【００２３】
【数５】
2005516494.tif 000007
を規定する。ＭＣは高時間サブバンドにおいてのみ用いられる、ことを注意する必要がある。Ａは、先ず、低次間サブバンドにより最大解像度において再構築され、次いで、ＨによりＭＣを伴うフレームＢを得るために用いられる。係数ｃｊｔは、前と同じ様に選択される。最大解像度における前記ＭＣは、低解像度動きベクトルを単にアップサンプルする（他の動きベクトルオーバーヘッドを導入することのない平均を有する）ことにより、又はこれらのアップサンプルされた低解像度ベクトルを改善する（一部の付加的送信ビットを犠牲とし、しかし、テクスチャ符合化の点でされに効率的である）ことにより、実行されることができる。
【００２４】
本発明は上記の実施形態に限定されるものではなく、本発明の範囲と主旨から逸脱することなく、変化及び修正を施すことが可能である。ハードウェア又はソフトウェアの単一のアイテムが幾つかの機能を実行することができる場合、ハードウェア又はソフトウェア又はそれら両方のアイテムにより、本発明に従った方法の機能を実施する多くの方法が存在する。ハードウェア又はソフトウェア又はそれら両方のアイテムのアセンブリは機能を実行し、それ故、本発明に従って、方法を修正することなく、単一の機能を構成することを除外しない。前記ハードウェア又はソフトウェアのアイテムは、例えば、有線の電子回路により又は適切にプログラムされた集積回路により、幾つかの方式において実施されることができる。集積回路は、コンピュータ、符号化器または復号化器に含まれ、例えば、コンピュータのプログラミングメモリ、又は符号化器或いは復号化器のメモリに含まれる命令の集合を有することができ、コンピュータ又は復号化器が本発明に従った方法の異なる段階を実行するようにすることができる。このような命令の集合は、例えば、ディスクのようなデータキャリアを読み取ることによりプログラミングメモリにロードされることが可能である。サービスプロバイダは又、例えば、インターネットのような通信ネットワークにより利用可能な根異例の集合を作成することができる。
【図面の簡単な説明】
【００２５】
【図１】３Ｄサブバンド分解について示す図である。
【図２】最小解像度における動き補償時間分析について示す図である。
【図３】本発明に従った符合化スキームの実施形態を示す図である。
【図４】図３の符合化スキームに対応する復号化スキームの実施形態を示す図である。
【図５】（順方向動き補償のための）高空間サブバンドの並べ換えを示す図である。
【図６】本発明に従った符合化スキームの他の実施形態を示す図である。
【図１】
2005516494.tif 000008
【図２】
2005516494.tif 000009
【図３】
2005516494.tif 000010
【図４】
2005516494.tif 000011
【図５】
2005516494.tif 000012
【図６】
2005516494.tif 000013
【国際調査報告】
2005516494.tif 000014
2005516494.tif 000015
2005516494.tif 000016